(57)【要約】      （修正有）【課題】ユーザーが繰り返して取り付けたり取り外したりしやすく、使用しやすい可動式導光装置を提供する。【解決手段】可動式導光装置は、少なくとも一つの導光構造を有する導光ユニット１１と、導光ユニットに取り付けられる吸盤ユニット１２とを備える。好適には、導光ユニットは第一透光膜と第二透光板を更に備え、第一透光膜は、第一面と第一面に対向する第二面を有し、第二透光板は第一透光膜の第一面に設けられ、導光構造は第一透光膜の第二面に設けられる。また、導光ユニットは第三透光板を更に備え、第三透光板は、第一透光膜の第二面の側に設けられる。【選択図】図１
0003186525.tif 000002
【実用新案登録請求の範囲】
【請求項１】
少なくとも一つの導光構造を有する導光ユニットと、
前記導光ユニットに取り付けられる少なくとも一つの吸盤ユニットとを備えることを特徴とする可動式導光装置。
【請求項２】
前記導光ユニットは第一透光膜と第二透光板を更に備え、前記第一透光膜は、第一面と前記第一面に対向する第二面を有し、前記第二透光板は前記第一透光膜の前記第一面に設けられ、前記導光構造は前記第一透光膜の前記第二面に設けられることを特徴とする請求項１に記載の可動式導光装置。
【請求項３】
前記導光ユニットは第三透光板を更に備え、前記第三透光板は、前記第一透光膜の前記第二面の側に設けられることを特徴とする請求項２に記載の可動式導光装置。
【請求項４】
前記導光ユニットは第二透光膜を更に備え、前記第二透光膜は前記第一透光膜の前記第二面の側に設けられることを特徴とする請求項２に記載の可動式導光装置。
【請求項５】
前記導光ユニットは太陽光を導くのに用いられることを特徴とする請求項１に記載の可動式導光装置。
【請求項６】
前記導光ユニットは少なくとも一つの孔を有し、前記吸盤ユニットは前記導光ユニットの前記孔に挿通されることを特徴とする請求項１に記載の可動式導光装置。
【請求項７】
前記導光ユニットは、その四つの角に隣接して開けられた四つの孔を有し、且つ前記吸盤ユニットの数は四つであり、前記導光ユニットの前記四つの孔にそれぞれ挿通されることを特徴とする請求項１に記載の可動式導光装置。
【請求項８】
前記各吸盤ユニットは、第一中空軸部を有する吸盤ベースと、前記第一中空軸部に挿通される操作軸部材と、前記操作軸部材に固着される押圧部材と、前記吸盤ベースと前記押圧部材との間に作用するように前記操作軸部材の周囲に装着されるスプリングと、第二中空軸部を有する変位制限部材とを備え、前記変位制限部材は、前記第二中空軸部によって、前記押圧部材と、前記スプリングと、前記操作軸部材をカバーすると共に、前記吸盤ベースに固着されることを特徴とする請求項１に記載の可動式導光装置。
【請求項９】
前記操作軸部材は、前記吸盤ベースの前記第一中空軸部に連通する開口端縁に当接するワッシャーを更に有することを特徴とする請求項８に記載の可動式導光装置。
【請求項１０】
前記可動式導光装置は窓に吸着させることができることを特徴とする請求項１に記載の可動式導光装置。
【考案の詳細な説明】
【技術分野】
【０００１】
本考案は、導光装置に関するものであり、特に、可動式導光装置に関するものである。
【背景技術】
【０００２】
近年、光学分野の科学技術が絶えず進歩し続けたことにより、マーケットでは各種の異なる導光機能を有する導光部材が提供され、例えば、電子製品、建設、装飾などの様々な分野のニーズに広く対応できるようになっている。しかしながら、従来の導光装置はいずれも固定式であるので、ユーザーが取り付けたり取り外したりして繰り返し使用するには適さず、そのため、充分な使用効果が得られていないという問題がある。
【考案の概要】
【考案が解決しようとする課題】
【０００３】
よって、ユーザーが繰り返して取り付けたり取り外したりしやすく、使用しやすい可動式導光装置を如何にして提供し、更に使用効果を高めることができるかが重要な課題の一つとなっている。
【０００４】
上記課題に鑑み、本考案の目的は、ユーザーが繰り返して取り付けたり取り外したりしやすく、使用しやすい可動式導光装置を提供することにある。
【課題を解決するための手段】
【０００５】
上記の目的を達成するために、本考案に基づいた可動式導光装置は、少なくとも一つの導光構造を有する導光ユニットと、前記導光ユニットに取り付けられる少なくとも一つの吸盤ユニットとを備えることを特徴とする。
【０００６】
本考案の一実施例において、導光ユニットは板状の第一透光板である。
【０００７】
本考案の一実施例において、導光構造は第一透光板の一方の面、或は対向する両方の面に設置される。導光構造は第一透光板と一体成型である。
【０００８】
本考案の一実施例において、前記導光ユニットは第一透光膜と第二透光板を更に備え、前記第一透光膜は、第一面と前記第一面に対向する第二面を有し、前記第二透光板は前記第一透光膜の前記第一面に設けられ、前記導光構造は前記第一透光膜の前記第二面に設けられる。
本考案の一実施例において、前記導光ユニットは第三透光板を更に備え、前記第三透光板は、前記第一透光膜の前記第二面の側に設けられる。
本考案の一実施例において、前記導光ユニットは第二透光膜を更に備え、前記第二透光膜は前記第一透光膜の前記第二面の側に設けられる。
【０００９】
本考案の一実施例において、導光ユニットの表面は少なくとも一つのパターンを有する。
【００１０】
本考案の一実施例において、導光ユニットの表面は少なくとも一つのカラーを有する。
【００１１】
本考案の一実施例において、導光ユニットは太陽光を導くのに用いられる。
【００１２】
本考案の一実施例において、導光ユニットは少なくとも一つの孔を有し、吸盤ユニットは導光ユニットの孔に挿通される。
【００１３】
本考案の一実施例において、前記導光ユニットは、その四つの角に隣接して開けられた四つの孔を有し、且つ前記吸盤ユニットの数は四つであり、前記導光ユニットの前記四つの孔にそれぞれ挿通される。
【００１４】
本考案の一実施例において、前記各吸盤ユニットは、第一中空軸部を有する吸盤ベースと、前記第一中空軸部に挿通される操作軸部材と、前記操作軸部材に固着される押圧部材と、前記吸盤ベースと前記押圧部材との間に作用するように前記操作軸部材の周囲に装着されるスプリングと、第二中空軸部を有する変位制限部材とを備え、前記変位制限部材は、前記第二中空軸部によって、前記押圧部材と、前記スプリングと、前記操作軸部材をカバーすると共に、前記吸盤ベースに固着される。
本考案の一実施例において、前記操作軸部材は、前記吸盤ベースの前記第一中空軸部に連通する開口端縁に当接するワッシャーを更に有する。
【００１５】
本考案の一実施例において、可動式導光装置は窓に吸着させることができる。
【考案の効果】
【００１６】
上述したように、本考案の可動式導光装置において、吸盤ユニットは、導光ユニットに取り付けられ、ユーザーは吸盤ユニットによって、導光装置を対象物に容易に取り付けたり取り外したりすることを繰り返して使用することができるので、その使用効果を大きく高めることができる。
【図面の簡単な説明】
【００１７】
【図１】本考案の好ましい実施例に係る可動式導光装置を示す斜視図である。
【図２Ａ】本考案の好ましい実施例に係る可動式導光装置に用いられる導光ユニットの一つの形態を示す概略図である。
【図２Ｂ】本考案の好ましい実施例に係る可動式導光装置に用いられる導光ユニットのもう一つの形態を示す概略図である。
【図２Ｃ】本考案の好ましい実施例に係る可動式導光装置に用いられる導光ユニットの更にもう一つの形態を示す概略図である。
【図２Ｄ】本考案の好ましい実施例に係る可動式導光装置に用いられる導光ユニットの更にもう一つの形態を示す概略図である。
【図２Ｅ】本考案の好ましい実施例に係る可動式導光装置に用いられる導光ユニットの更にもう一つの形態を示す概略図である。
【図３Ａ】本考案の好ましい実施例に係る可動式導光装置に用いられる吸盤ユニットの斜視図である。
【図３Ｂ】図３Ａに示した吸盤ユニットの分解斜視図である。
【考案を実施するための形態】
【００１８】
関連する図面を参照しながら、本考案の好ましい実施例に係る可動式導光装置について、以下の通りに説明する。尚、同じ部材は同じ符号を付して説明する。
【実施例】
【００１９】
図１は本考案の好ましい実施例に係る可動式導光装置１を示す斜視図であり、図示するように、可動式導光装置１は、導光ユニット１１と、少なくとも一つの吸盤ユニット１２を備え、吸盤ユニット１２は導光ユニット１１に固定される。ここでは、四つの吸盤ユニット１２を例とし、導光ユニット１１は四つの孔１１１を有し、これらの孔は導光ユニット１１の四つの角に隣接して設けられ、且つ前記複数の吸盤ユニット１２は導光ユニット１１の前記複数の孔１１１にそれぞれ挿通された状態で固定される。本実施例における可動式導光装置１は、これを取り付けて使用する対象物に制限はなく、例えば、吸盤ユニット１２によって、ガラス、或はその他の物体に吸着させて用いることができる。導光ユニット１１は、太陽光、ライト、或はその他の光線を導くのに用いることができ、ここでは、太陽光を導く場合を例とする。また、応用性を高めるために、導光ユニット１１の表面には少なくとも一つのパターン、或は少なくとも一つのカラーを施すことができ、本実施例においては、そのパターンとカラーの形態を限定するものではない。
【００２０】
本考案は、実質上、導光ユニット１１の形態を限定するものではなく、図２Ａから図２Ｅまでの各種形態のものを例に挙げ、以下の通りに説明する。
【００２１】
図２Ａに示す例において、導光ユニット１１は板状の第一透光板１１２であり、透光板の材質は、例えば、ガラス、或はその他の透光材料である。導光ユニット１１の導光構造１１３は、第一透光板１１２のいずれの面に設置してもよい。この場合の導光構造１１３は鋸歯状のものを例とし、且つ鋸歯の断面は三角形を例としているが、これらは必要により変更することができる。例えば、少なくともその中の一部分の三角形を弧形、或は多辺形などに変更することができる。また、三角形のいずれかの内角の角度は、必要とされる導光の条件により変更することができ、図示した例に限定するものではない。本実施例において、導光構造１１３は第一透光板１１２と一体成型である。
【００２２】
図２Ｂに示す例においては、導光ユニット１１ａの導光構造１１３ａが多辺形のものが示されている。
【００２３】
図２Ｃに示す例において、導光ユニット１１ｂは複数の導光構造１１３ｂを有し、これらの導光構造１１３ｂは第一透光板１１２の対向する両面にそれぞれ設置されている。
【００２４】
図２Ｄに示す例において、導光ユニット１１ｃは第一透光膜１１４ｃと第二透光板１１２ｃを備え、第一透光膜１１４ｃは対向する第一面と第二面を有し、第二透光板１１２ｃは第一透光膜１１４ｃの第一面に設けられ、導光構造１１３ｃは第一透光膜１１４ｃの第二面に設けられる。
【００２５】
図２Ｅに示すように、導光ユニット１１ｃは第三透光板１１５ｃを更に備え、第三透光板１１５ｃは第一透光膜１１４ｃの第二面の側に設けられ、且つ、導光構造１１３ｃは第一透光膜１１４ｃと第三透光板１１５ｃの間に配置される。また、その他の形態において、導光ユニットをより薄く、軽くするために、第三透光板１１５ｃの代わりに第二透光膜（図示しない）を用いることができる。
【００２６】
次に、図３Ａは本考案の好ましい実施例に係る可動式導光装置に用いられる吸盤ユニット１２の斜視図であり、図３Ｂはこの吸盤ユニット１２の分解斜視図であるが、注意すべきことは、図示の吸盤ユニット１２は単なる一例にすぎず、本考案を制限するものではない。図３Ａと図３Ｂに示すように、吸盤ユニット１２は吸盤ベース１２１と、操作軸部材１２２と、スプリング１２３と、押圧部材１２４と、変位制限部材１２５とを備える。吸盤ベース１２１は第一中空軸部１２１１と軟質部材１２１２を有する。第一中空軸部１２１１は軟質部材１２１２に接合される。操作軸部材１２２は第一中空軸部１２１１に挿通され、更に操作軸部材１２２は、吸盤ベース１２１の前記第一中空軸部１２１１に連通する軟質部材１２１２の中心孔の開口端縁に当接するワッシャー１２２１を備えている。また、ワッシャー１２２１は操作軸部材１２２の頭部１２２２に圧接するようになっている。スプリング１２３は、前記吸盤ベース１２１と押圧部材１２４との間に作用するように操作軸部材１２２の周囲に装着される。押圧部材１２４は操作軸部材１２２にねじ込まれてロック（固着）され、且つスプリング１２３に圧接する。変位制限部材１２５は第二中空軸部１２５１を有し、この第二中空軸部１２５１によって、押圧部材１２４と、スプリング１２３と、操作軸部材１２２をカバーし、変位制限部材１２５自体は吸盤ベース１２１にロック（固着）される。例えば、吸盤ベース１２１の第一中空軸部１２１１の外周面のねじをねじ込んでロックされる。
【００２７】
ユーザーが、図１に示すような導光ユニット１１を窓に固定したい場合、吸盤ユニット１２を窓に向けて押し付ける。この時、ワッシャー１２２１は吸盤ベース１２１の軟質部材１２１２の中心孔の開口端縁に当接して密着することによって、吸盤ベース１２１の軟質部材１２１２内に低気圧状態（真空に近い状態にすることができる）を形成させ、これにより導光ユニット１１の吸着効果を達することができる。ユーザーが、図１に示すような導光ユニット１１を窓から取り外したい場合、まず、吸盤ユニット１２を窓から取り外す必要があり、そのため、吸盤ユニット１２の変位制限部材１２５を先に握ってから押圧部材１２４を押すようにする。これにより、押圧部材１２４は、変位制限部材１２５の第二中空軸部１２５１内で下方へ移動して、スプリング１２３の弾力に抗して操作軸部材１２２を下方へ押し出す。操作軸部材１２２は下へ押し出されるため、操作軸部材１２２の頭部１２２２、ワッシャー１２２１が吸盤ベース１２１の中心孔の開口端縁から少し離れることで、吸盤ベース１２１の軟質部材１２１２内に空気が侵入して気圧が上昇し、吸盤ユニット１２の吸着作用が失われ、窓から容易に取り外すことができる。
【００２８】
上述をまとめると、本考案の可動式導光装置において、導光ユニットに吸盤ユニットが取り付けられ、ユーザーは吸盤ユニットによって、導光装置を物体に吸着させたり、或は物体から取り外したりし易くなるので、吸着、取り外しを繰り返して使用することができる。これにより、導光ユニットは、その使用効果を高めることができるだけでなく、ユーザーの生活における使用上の利便性を更に増すことができる。
【００２９】
上記説明は例示的なものであって、本考案を限定するためのものではない。本考案の技術的思想および範囲から逸脱することなく行われる等価の修正または変更は、いずれも別紙の実用新案登録請求の範囲に含まれる。
【産業上の利用可能性】
【００３０】
本考案は以上の如く構成したため、本考案は、ユーザーが繰り返して取り付けたり取り外したりしやすく、使用しやすい可動式導光装置を提供し得るものである。
【符号の説明】
【００３１】
１        可動式導光装置
１１、１１ａ、１１ｂ、１１ｃ  導光ユニット
１１１    孔
１１２    第一透光板
１１２ｃ  第二透光板
１１３、１１３ａ、１１３ｂ、１１３ｃ  導光構造
１１４ｃ  第一透光膜
１１５ｃ  第三透光板
１２      吸盤ユニット
１２１    吸盤ベース
１２１１  第一中空軸部
１２１２  軟質部材
１２２    操作軸部材
１２２１  ワッシャー
１２２２  頭部
１２３    スプリング
１２４    押圧部材
１２５    変位制限部材
１２５１  第二中空軸部
【図１】
0003186525.tif 000003
【図２Ａ】
0003186525.tif 000004
【図２Ｂ】
0003186525.tif 000005
【図２Ｃ】
0003186525.tif 000006
【図２Ｄ】
0003186525.tif 000007
【図２Ｅ】
0003186525.tif 000008
【図３Ａ】
0003186525.tif 000009
【図３Ｂ】
0003186525.tif 000010